(57)【要約】【課題】遊技媒体を持つ遊技客が容易に成人認証を受け、スムーズなタバコ交換を実現すること。【解決手段】計数部２０４は、自販機子機２０に投入された遊技媒体を計数し、計数結果を一時保留部２０５へ通知する。一時保留部２０５は、遊技媒体を一時保留するとともに、計数結果が飲料と等価な分以上であれば、飲料交換が可能である旨を許可信号送出部２０９へ通知する。振分制御部２０６は、飲料交換が行われた旨の交換信号が受信されず、かつ遊技客が成人認証されたと通知された場合、計数結果がタバコと等価な分以上であることを確認し、タバコ交換が可能である旨を許可信号生成部２１１へ通知する。許可信号送出部２０９は、飲料交換可能と通知されると、飲料交換を許可する許可信号を送出する。許可信号生成部２１１は、タバコ交換可能と通知されると、タバコ交換を許可する許可信号を生成する。【選択図】        図４
2007325736.tif 000002
【特許請求の範囲】
【請求項１】
遊技店において遊技客が遊技媒体をタバコに交換するタバコ交換を管理するタバコ交換管理装置であって、
遊技客が投入する遊技媒体を受け付けて一時的に保留する保留手段と、
前記保留手段によって遊技媒体が保留された後、前記遊技客が成人認証された旨を取得する取得手段と、
前記取得手段によって遊技客が成人認証された旨が取得された場合、前記保留手段によって保留された遊技媒体によるタバコ交換を許可する許可信号を生成する生成手段と
を有することを特徴とするタバコ交換管理装置。
【請求項２】
前記保留手段は、
遊技客が投入する遊技媒体を計数する計数手段と、
前記計数手段による計数結果が所定数に達している場合に、年齢制限がない非制限物品への遊技媒体の交換を許可する許可信号を送出する送出手段と
を含むことを特徴とする請求項１記載のタバコ交換管理装置。
【請求項３】
前記生成手段は、
前記取得手段によって遊技客が成人認証された旨が取得され、かつ前記計数手段による計数結果が所定数に達している場合に、タバコ交換を許可する許可信号を生成することを特徴とする請求項２記載のタバコ交換管理装置。
【請求項４】
前記保留手段は、
遊技客が投入する遊技媒体の自装置内部への移動を遮断する遮断手段と、
前記取得手段によって遊技客が成人認証された旨が取得された場合に、前記遮断手段による遮断を解除させる制御手段と
を含むことを特徴とする請求項１記載のタバコ交換管理装置。
【請求項５】
前記生成手段は、
前記保留手段によって保留された遊技媒体を計数する計数手段を含み、
前記計数手段による計数結果が所定数に達している場合に、タバコ交換を許可する許可信号を生成することを特徴とする請求項１記載のタバコ交換管理装置。
【請求項６】
前記保留手段によって保留された遊技媒体がタバコに交換された場合、保留された遊技媒体のうち、タバコと等価分の遊技媒体を自装置内部に貯留させる一方、タバコの価値を超える分の遊技媒体を自装置外部へ投出させる制御手段をさらに有することを特徴とする請求項１記載のタバコ交換管理装置。
【請求項７】
前記取得手段は、
遊技客が所持する成人識別用のタバコカードが提示されたことを検知することを特徴とする請求項１記載のタバコ交換管理装置。
【請求項８】
遊技店において遊技客が遊技媒体をタバコに交換するタバコ交換を管理するタバコ交換管理方法であって、
遊技客が投入する遊技媒体を受け付けて一時的に保留する保留工程と、
前記保留工程にて遊技媒体が保留された後、前記遊技客が成人認証された旨を取得する取得工程と、
前記取得工程にて遊技客が成人認証された旨が取得された場合、前記保留工程にて保留された遊技媒体によるタバコ交換を許可する許可信号を生成する生成工程と
を有することを特徴とするタバコ交換管理方法。
【発明の詳細な説明】
【技術分野】
【０００１】
本発明は、遊技店において遊技客が遊技媒体をタバコに交換するタバコ交換を管理するタバコ交換管理装置およびタバコ交換管理方法に関し、特に、遊技媒体を持つ遊技客が容易に成人認証を受けることができ、スムーズなタバコ交換を実現することができるタバコ交換管理装置およびタバコ交換管理方法に関する。
【背景技術】
【０００２】
近年、飲料やタバコなどを無人で販売する自動販売機が至るところに設置されており、利用者は、わざわざ有人販売の店舗へ出向かなくても様々な商品を購入することができるようになっている。自動販売機には、このような手軽さという利点がある一方で、喫煙が禁止されている未成年者でも容易にタバコを購入することができ、未成年者の喫煙を助長していると指摘されている。
【０００３】
そこで、タバコのように販売対象年齢に制限がある商品の自動販売機に関しては、利用者が所有するカードによって利用者の年齢の認証を実行し、利用者が販売対象年齢に達している場合にのみ販売待機状態とさせることが検討されている（例えば特許文献１参照）。
【０００４】
また、２００８年からは、実際にタバコの自動販売機に成人識別機能が設けられることになっている。具体的には、タバコの自動販売機利用者は、あらかじめ所定の機関に申請することにより、成人識別用のＩＣカード（以下「タバコカード」という）の発行を受ける。そして、自動販売機利用時には、このタバコカードを自動販売機のカードリーダにかざすことによって成人認証され、タバコの購入が許可されるというものである。
【０００５】
【特許文献１】特開平７−９３６４８号公報
【発明の開示】
【発明が解決しようとする課題】
【０００６】
ところで、例えばパチンコ店などの遊技店においては、パチンコ用の玉やパチスロ用のメダルなどの遊技媒体をタバコに交換するタバコ交換機が設置されることがある。そして、一般に遊技店への入店が許されているのは１８歳以上であるため、一部の遊技客には未成年者も含まれている。したがって、遊技店におけるタバコ交換機にも、成人識別機能を付与することが必要になると考えられる。
【０００７】
しかしながら、遊技店においてタバコと交換される価値媒体は、遊技に使用される玉やメダルなどの遊技媒体であるのが一般的である。そして、遊技客がタバコ交換機において遊技媒体をタバコに交換する際、タバコと等価な分の遊技媒体が必要となるが、通常、タバコと等価な遊技媒体は、紙幣や硬貨よりもかさばる。このため、タバコ交換を希望する遊技客は、例えばタバコカードをカードリーダにかざすなどの成人認証のための動作をスムーズに行うことができないという問題がある。
【０００８】
すなわち、例えば上記特許文献１に記載された技術のように、年齢の認証が実行された後に販売待機状態となる場合には、遊技客は遊技媒体を持ったまま成人認証のための動作を行う必要があるが、遊技媒体によって両手がふさがっていれば、タバコカードをカードリーダにかざすという簡単な動作を行うことも困難となる。
【０００９】
本発明はかかる点に鑑みてなされたものであり、遊技媒体を持つ遊技客が容易に成人認証を受けることができ、スムーズなタバコ交換を実現することができるタバコ交換管理装置およびタバコ交換管理方法を提供することを目的とする。
【課題を解決するための手段】
【００１０】
上記課題を解決するために、本発明は、遊技店において遊技客が遊技媒体をタバコに交換するタバコ交換を管理するタバコ交換管理装置であって、遊技客が投入する遊技媒体を受け付けて一時的に保留する保留手段と、前記保留手段によって遊技媒体が保留された後、前記遊技客が成人認証された旨を取得する取得手段と、前記取得手段によって遊技客が成人認証された旨が取得された場合、前記保留手段によって保留された遊技媒体によるタバコ交換を許可する許可信号を生成する生成手段とを有することを特徴とする。
【００１１】
また、本発明は、上記発明において、前記保留手段は、遊技客が投入する遊技媒体を計数する計数手段と、前記計数手段による計数結果が所定数に達している場合に、年齢制限がない非制限物品への遊技媒体の交換を許可する許可信号を送出する送出手段とを含むことを特徴とする。
【００１２】
また、本発明は、上記発明において、前記生成手段は、前記取得手段によって遊技客が成人認証された旨が取得され、かつ前記計数手段による計数結果が所定数に達している場合に、タバコ交換を許可する許可信号を生成することを特徴とする。
【００１３】
また、本発明は、上記発明において、前記保留手段は、遊技客が投入する遊技媒体の自装置内部への移動を遮断する遮断手段と、前記取得手段によって遊技客が成人認証された旨が取得された場合に、前記遮断手段による遮断を解除させる制御手段とを含むことを特徴とする。
【００１４】
また、本発明は、上記発明において、前記生成手段は、前記保留手段によって保留された遊技媒体を計数する計数手段を含み、前記計数手段による計数結果が所定数に達している場合に、タバコ交換を許可する許可信号を生成することを特徴とする。
【００１５】
また、本発明は、上記発明において、前記保留手段によって保留された遊技媒体がタバコに交換された場合、保留された遊技媒体のうち、タバコと等価分の遊技媒体を自装置内部に貯留させる一方、タバコの価値を超える分の遊技媒体を自装置外部へ投出させる制御手段をさらに有することを特徴とする。
【００１６】
また、本発明は、上記発明において、前記取得手段は、遊技客が所持する成人識別用のタバコカードが提示されたことを検知することを特徴とする。
【００１７】
また、本発明は、遊技店において遊技客が遊技媒体をタバコに交換するタバコ交換を管理するタバコ交換管理方法であって、遊技客が投入する遊技媒体を受け付けて一時的に保留する保留工程と、前記保留工程にて遊技媒体が保留された後、前記遊技客が成人認証された旨を取得する取得工程と、前記取得工程にて遊技客が成人認証された旨が取得された場合、前記保留工程にて保留された遊技媒体によるタバコ交換を許可する許可信号を生成する生成工程とを有することを特徴とする。
【発明の効果】
【００１８】
本発明によれば、遊技客が投入する遊技媒体を受け付けて一時的に保留し、遊技媒体が保留された後、遊技客が成人認証された旨を取得し、遊技客が成人認証された旨が取得された場合、保留された遊技媒体によるタバコ交換を許可する許可信号を生成する。このため、遊技客は、最初に遊技媒体を投入して、両手が自由に使える状態で成人識別用のタバコカードを提示するなどの動作が可能となり、遊技媒体を持つ遊技客が容易に成人認証を受けることができ、スムーズなタバコ交換を実現することができる。
【００１９】
また、本発明によれば、遊技客が投入する遊技媒体を計数し、計数結果が所定数に達している場合に、年齢制限がない非制限物品への遊技媒体の交換を許可する許可信号を送出する。このため、遊技客の成人認証前に遊技媒体を計数して、成人認証後のタバコ交換をより迅速に実行することができるとともに、成人認証前にも遊技媒体の飲料などへの交換を許可することができる。
【００２０】
また、本発明によれば、遊技客が成人認証された旨が取得され、かつ計数結果が所定数に達している場合に、タバコ交換を許可する許可信号を生成するため、成人であり、タバコと等価分以上の遊技媒体を投入した遊技客にのみタバコを提供することができる。
【００２１】
また、本発明によれば、遊技客が投入する遊技媒体の自装置内部への移動を遮断し、遊技客が成人認証された旨が取得された場合に、遮断を解除させるため、遊技客の成人認証前には、遊技媒体が装置内部へ進入せず、成人認証前のタバコ交換を確実に禁止することができる。
【００２２】
また、本発明によれば、保留された遊技媒体を計数し、計数結果が所定数に達している場合に、タバコ交換を許可する許可信号を生成するため、タバコと等価分以上の遊技媒体を投入した遊技客にのみタバコを提供することができる。
【００２３】
また、本発明によれば、保留された遊技媒体がタバコに交換された場合、保留された遊技媒体のうち、タバコと等価分の遊技媒体を自装置内部に貯留させる一方、タバコの価値を超える分の遊技媒体を自装置外部へ投出させる。このため、タバコと等価分の遊技媒体を遊技店が徴収することができるとともに、余剰の遊技媒体を遊技客へ返却することができる。
【００２４】
また、本発明によれば、遊技客が所持する成人識別用のタバコカードが提示されたことを検知するため、遊技客が確実に成人認証された旨を取得することができる。
【発明を実施するための最良の形態】
【００２５】
以下、本発明の実施の形態について、図面を参照して詳細に説明する。
【００２６】
（実施の形態１）
図１は、本発明の実施の形態１に係る遊技店の概略構成を示す図である。同図に示す遊技店では、遊技店の会員を管理する会員管理ターミナルコントローラ（以下「会員管理Ｔ／Ｃ」と略記する）１０に景品管理ＰＯＳ５０、計数機５１、および島コントローラ５２が接続されており、景品管理ＰＯＳ５０には自販機子機２０が接続されており、自販機子機２０にはタバコ交換機３０および飲料交換機４０が併設されている。また、島コントローラ５２には、複数の貸出機５３が接続されており、それぞれの貸出機５３には遊技機５４が併設されている。
【００２７】
会員管理Ｔ／Ｃ１０は、遊技店の会員となっている遊技客の会員情報などを記憶したり、各会員の貯玉または貯メダルなど会員が遊技店に預けている遊技媒体数を記憶したりする。
【００２８】
自販機子機２０は、遊技媒体をタバコや飲料に交換するために、まず遊技客が持参した遊技媒体を受け入れ、計数した後に一時保留しておく。そして、自販機子機２０は、計数された遊技媒体数が飲料やタバコの交換に十分であることを確認するとともに、遊技客の成人認証前であれば、飲料交換機４０のみへ飲料への交換を許可する許可信号を送出し、遊技客の成人認証後であれば、タバコ交換機３０へタバコへの交換を許可する許可信号を送出する。
【００２９】
タバコ交換機３０は、自販機子機２０から許可信号が送出されると、遊技客によるタバコの銘柄の選択を待機し、遊技客が希望する銘柄のタバコを投出する。また、タバコ交換機３０は、所定の位置にタバコカードがかざされると、遊技客が成人認証された旨を自販機子機２０へ通知する。なお、自販機子機２０およびタバコ交換機３０の構造および内部構成については、後に詳述する。
【００３０】
飲料交換機４０は、自販機子機２０から許可信号が送出されると、遊技客による飲料の銘柄の選択を待機し、遊技客が希望する銘柄の飲料を投出する。
【００３１】
景品管理ＰＯＳ５０は、遊技店の景品カウンターに設置され、遊技媒体の景品交換を管理する。具体的には、景品管理ＰＯＳ５０は、計数機５１にて発行される、遊技媒体数が記録されたレシートから交換可能な景品数を算出し、算出された景品数を景品カウンターの従業員に通知したり、景品を発行したりする。
【００３２】
計数機５１は、遊技客が投入する玉やメダルなどの遊技媒体を計数し、計数結果が記録されたレシートを発行する。レシートには、遊技媒体数が印字されていても良いし、磁気記憶されていても良い。さらに、レシートには、レシートＩＤのみが記録されており、計数結果は、レシートＩＤに対応付けられて景品管理ＰＯＳ５０が参照可能な外部に記憶されていても良い。
【００３３】
島コントローラ５２は、「島」と呼ばれる区域に設置された複数の貸出機５３を統制管理しており、例えば貸出機５３に会員カードが受け付けられていれば、この会員の貯玉数や貯メダル数を会員管理Ｔ／Ｃ１０から読み出し、この貯玉数や貯メダル数を上限とした遊技媒体の貸出処理を貸出機５３に指示する。
【００３４】
貸出機５３は、島コントローラ５２の指示に従って、玉やメダルなどの遊技媒体の貸出処理を行う。遊技機５４は、貸出機５３から借り受けた遊技媒体を用いて遊技客が遊技を行う装置である。
【００３５】
ここで、自販機子機２０およびタバコ交換機３０の構造について、図２、図３−１、および図３−２を参照しながら説明する。
【００３６】
自販機子機２０は、玉やメダルなどの遊技媒体を受け入れる遊技媒体受入口２０１と、遊技媒体を返却する遊技媒体返却口２０２とを前面に有している。遊技媒体の飲料交換やタバコ交換を希望する遊技客は、飲料またはタバコと等価以上の数の遊技媒体を遊技媒体受入口２０１から投入する。そして、飲料交換やタバコ交換の完了後、余剰の遊技媒体があれば、遊技媒体返却口２０２から投出される。また、遊技媒体受入口２０１から遊技媒体が投入された後、所定の時間が経過しても飲料交換およびタバコ交換のいずれも行われない場合は、投入されたすべての遊技媒体が遊技媒体返却口２０２から投出されるようにしても良い。
【００３７】
図３−１は、自販機子機２０を図２のＡ方向から見た模式投影図である。同図に示すように、遊技媒体受入口２０１には、装置内部へ連続する遊技媒体通路２０３が設けられており、遊技媒体受入口２０１から投入された遊技媒体は、この遊技媒体通路２０３を通って自販機子機２０の内部へ進入する。そして、遊技媒体は、遊技媒体通路２０３の途中に設けられた計数部２０４によって計数された後、一時保留部２０５へ到達して一時的に保留される。
【００３８】
図３−２は、自販機子機２０を図２のＢ方向から見た模式投影図である。同図に示すように、一時保留部２０５によって一時的に保留された遊技媒体は、振分制御部２０６によって、遊技媒体投出部２０７または遊技媒体貯留部２０８のいずれかへ振り分けられる。すなわち、飲料交換やタバコ交換が行われた場合は、飲料やタバコと等価な分の遊技媒体が振分制御部２０６から遊技媒体貯留部２０８へ送出され、遊技媒体貯留部２０８に貯留される。また、飲料交換やタバコ交換が行われなかった場合は、一時保留部２０５に一時保留された遊技媒体がすべて振分制御部２０６から遊技媒体投出部２０７へ送出され、遊技媒体投出部２０７から遊技媒体返却口２０２へ投出される。
【００３９】
一方、タバコ交換機３０の前面には、遊技客がかざしたタバコカードを読み取るタバコカード読取部３０１が形成されており、タバコカード読取部３０１によってタバコカードが読み取られると、遊技客が成人認証されたことになる。そして、タバコ交換に十分な遊技媒体が自販機子機２０の遊技媒体受入口２０１から投入されていれば、遊技客の成人認証後、タバコ交換機３０のディスプレイ部３０２において、遊技媒体数に応じて交換可能な銘柄のタバコの選択ボタンが点灯する。遊技客は、ディスプレイ部３０２の希望銘柄の点灯した選択ボタンを押下し、タバコ交換口３０３へ投出されるタバコを手に入れることができる。
【００４０】
次に、自販機子機２０およびタバコ交換機３０の内部構成について、図４を参照しながら説明する。
【００４１】
図４に示すように自販機子機２０は、計数部２０４、一時保留部２０５、振分制御部２０６、遊技媒体投出部２０７、遊技媒体貯留部２０８、許可信号送出部２０９、接続部２１０、および許可信号生成部２１１を有している。また、タバコ交換機３０は、タバコカード読取部３０１、ディスプレイ部３０２、タバコ交換口３０３、接続部３０４、および制御部３０５を有している。
【００４２】
計数部２０４は、図３−１および図３−２に示した遊技媒体受入口２０１から投入され、遊技媒体通路２０３を通過する遊技媒体を計数し、計数した遊技媒体を一時保留部２０５へ送出するとともに、計数結果の遊技媒体数を一時保留部２０５へ通知する。
【００４３】
一時保留部２０５は、計数部２０４によって計数された遊技媒体を一時保留するとともに、計数結果の遊技媒体数が飲料と等価な分以上であれば、飲料交換が可能である旨を許可信号送出部２０９へ通知する。また、一時保留部２０５は、計数部２０４から通知される計数結果を振分制御部２０６へ通知する。
【００４４】
振分制御部２０６は、図示しない飲料交換機４０から飲料交換が行われた旨の交換信号を受信した場合、一時保留部２０５に一時保留された遊技媒体のうち、交換された飲料と等価な分の遊技媒体を遊技媒体貯留部２０８へ送出し、残りの遊技媒体を遊技媒体投出部２０７へ送出するように振分制御を行う。
【００４５】
また、振分制御部２０６は、図示しない飲料交換機４０から交換信号が受信されず、かつ接続部２１０から遊技客が成人認証された旨が通知された場合、計数結果の遊技媒体数がタバコと等価な分以上であることを確認し、タバコ交換が可能である旨を許可信号生成部２１１へ通知する。そして、タバコ交換機３０におけるタバコ交換後、接続部２１０からタバコ交換が行われた旨が通知されると、一時保留部２０５に一時保留された遊技媒体のうち、交換されたタバコと等価な分の遊技媒体を遊技媒体貯留部２０８へ送出し、残りの遊技媒体を遊技媒体投出部２０７へ送出するように振分制御を行う。
【００４６】
さらに、振分制御部２０６は、一時保留部２０５に遊技媒体が保留された後、所定の時間が経過しても飲料交換およびタバコ交換が行われない場合や、計数結果が飲料やタバコと等価な分に達しておらず、遊技媒体の追加投入もされない場合は、一時保留部２０５に一時保留された遊技媒体をすべて遊技媒体投出部２０７へ送出する。同様に、振分制御部２０６は、例えば図示しない返却ボタンが押下された場合にも、一時保留部２０５に一時保留された遊技媒体をすべて遊技媒体投出部２０７へ送出する。
【００４７】
遊技媒体投出部２０７は、振分制御部２０６から送出された遊技媒体を図３−２に示した遊技媒体返却口２０２へ投出する。
【００４８】
遊技媒体貯留部２０８は、振分制御部２０６から送出された遊技媒体を貯留する。遊技媒体貯留部２０８が遊技媒体で一杯になった場合には、遊技店の係員などによって遊技媒体が回収される。また、遊技媒体貯留部２０８を図示しない遊技媒体通路に連結しておき、貯留された遊技媒体が遊技店内を循環するように構成しても良い。この場合、遊技媒体貯留部２０８に貯留される遊技媒体は、遊技媒体通路を経由して例えば貸出機５３に到達し、再び遊技客へ貸し出される。
【００４９】
許可信号送出部２０９は、一時保留部２０５から飲料交換が可能である旨が通知されると、図示しない飲料交換機４０へ飲料交換を許可する許可信号を送出する。
【００５０】
接続部２１０は、併設されたタバコ交換機３０に接続され、遊技客が成人認証された旨やタバコ交換が行われた旨をタバコ交換機３０から受信したり、許可信号生成部２１１から出力される許可信号をタバコ交換機３０へ送信したりする。
【００５１】
許可信号生成部２１１は、振分制御部２０６からタバコ交換が可能である旨が通知されると、タバコ交換機３０にタバコ交換を許可する許可信号を生成し、接続部２１０へ出力する。なお、許可信号生成部２１１は、タバコの銘柄によって必要な遊技媒体数が異なる場合は、計数部２０４の計数結果に応じて交換可能な銘柄を指定する旨の許可信号を生成しても良い。
【００５２】
次にタバコ交換機３０に移って、タバコカード読取部３０１は、非接触型のＩＣカードであるタバコカードを検知し、遊技客が成人であることを示すタバコカードが読み取られたことを接続部３０４へ通知する。
【００５３】
ディスプレイ部３０２は、複数の銘柄のタバコのサンプルを支持するとともに、各サンプルの下に選択ボタンを有している。そして、選択ボタンは、自販機子機２０から許可信号が受信された場合にのみ、制御部３０５の制御によって点灯し、タバコ交換可能な状態になる。つまり、遊技客は、ディスプレイ部３０２の点灯した選択ボタンを押下することにより、希望する銘柄のタバコを取得することができる。
【００５４】
タバコ交換口３０３は、制御部３０５の制御によって、遊技客が押下した選択ボタンに対応する銘柄のタバコを投出する。
【００５５】
接続部３０４は、自販機子機２０に接続され、許可信号を自販機子機２０から受信したり、遊技客が成人認証された旨やタバコ交換が行われた旨を自販機子機２０へ送信したりする。
【００５６】
制御部３０５は、接続部３０４によって許可信号が受信されると、ディスプレイ部３０２の選択ボタンを点灯させ、タバコ交換可能な状態にする。このとき、制御部３０５は、許可信号によって銘柄が指定されている場合は、交換可能な銘柄の選択ボタンのみを点灯させる。また、制御部３０５は、ディスプレイ部３０２の点灯した選択ボタンが押下されると、この選択ボタンに対応する銘柄のタバコをタバコ交換口３０３から投出させる。
【００５７】
次いで、上記のように構成された自販機子機２０の動作について、図５に示すフロー図を参照しながら説明する。
【００５８】
遊技客は、遊技媒体の飲料交換やタバコ交換を希望する際、飲料やタバコと等価な分以上の遊技媒体を自販機子機２０、タバコ交換機３０、および飲料交換機４０の設置場所へ持参する。そして、遊技客は、持参した遊技媒体を自販機子機２０の遊技媒体受入口２０１へ投入する。この時点で、遊技客は両手を自由に使えるようになり、タバコカードによる成人認証など様々な動作をスムーズに行うことが可能となる。
【００５９】
遊技媒体受入口２０１から遊技媒体が自販機子機２０内へ受け入れられると（ステップＳ１０１）、この遊技媒体は、遊技媒体通路２０３を通過して計数部２０４へ到達する。そして、計数部２０４によって遊技媒体が計数され（ステップＳ１０２）、遊技媒体は、一時保留部２０５へ進入するとともに、遊技媒体の計数結果が一時保留部２０５へ通知される。本実施の形態においては、遊技客の成人認証前でも遊技媒体が自販機子機２０へ投入されるとすぐに計数部２０４によって計数されるため、成人認証後に遊技媒体の投入が可能となって、その後に遊技媒体が計数される場合よりもタバコ交換に要する時間を短縮することができる。
【００６０】
一時保留部２０５へ進入した遊技媒体は、それ以上先へ移動することなく一時保留される（ステップＳ１０３）。一時保留部２０５は、遊技媒体を遊技媒体投出部２０７および遊技媒体貯留部２０８のいずれにも送出可能な位置に設けられているため、一時保留部２０５に一時保留された遊技媒体を、飲料やタバコに交換することも可能であるし、そのまま遊技客へ返却することも可能である。また、このように遊技媒体が一時保留されることにより、上述したように、遊技客は両手を自由に使うことができ、遊技客の動作が制限されない。
【００６１】
ところで、一時保留部２０５に遊技媒体が一時保留されるのと同時に、遊技媒体の計数結果が計数部２０４から一時保留部２０５へ通知される。そして、一時保留部２０５によって、計数結果の遊技媒体数が飲料と等価な分以上であるか否かが判断され、計数結果が飲料の交換に十分であれば、飲料交換が可能である旨が許可信号送出部２０９へ通知される。そして、許可信号送出部２０９によって、飲料交換を許可する旨の許可信号が飲料交換機４０へ送出される（ステップＳ１０４）。なお、このとき、計数結果が飲料の交換に不足していれば、遊技媒体の追加投入を所定時間待機した後、一時保留部２０５に一時保留された遊技媒体が振分制御部２０６および遊技媒体投出部２０７を介して遊技媒体返却口２０２から返却される。
【００６２】
飲料交換機４０へ許可信号が送出されると、飲料交換機４０では例えば飲料の選択ボタンが点灯するなどして遊技客の選択が待機される。ここで遊技客が選択ボタンを押下して飲料交換を行うと、飲料交換機４０から飲料交換が行われた旨の交換信号が自販機子機２０へ送出される。自販機子機２０の振分制御部２０６では、飲料交換機４０からの交換信号が受信されるか否かによって飲料交換が行われたか否かが判断され（ステップＳ１０５）、交換信号が受信されて飲料交換が行われたことが検知されると（ステップＳ１０５Ｙｅｓ）、振分制御部２０６によって、一時保留部２０５に一時保留された遊技媒体のうち交換された飲料と等価な分の遊技媒体が遊技媒体貯留部２０８へ送出されて貯留される（ステップＳ１０６）。
【００６３】
また、振分制御部２０６は、余剰の遊技媒体を遊技媒体投出部２０７へ送出し、遊技媒体投出部２０７から遊技媒体返却口２０２へ投出させる。これにより、飲料と等価な分の遊技媒体が遊技店に徴収されるとともに、飲料の価値を超える分の遊技媒体は遊技客へ返却されることになる。
【００６４】
このようにして、飲料交換を希望する遊技客は、遊技媒体を飲料に交換することができるが、タバコ交換を希望する遊技客は、成人認証が必要となる。そこで、タバコ交換を希望する遊技客は、成人であることを示すタバコカードをタバコ交換機３０のタバコカード読取部３０１へかざして、成人認証を受ける。このとき、遊技客は、既に遊技媒体を自販機子機２０の遊技媒体受入口２０１へ投入しているため、スムーズにタバコカードをかざす動作を行うことができる。タバコカード読取部３０１にタバコカードがかざされると、タバコカード読取部３０１から接続部３０４へタバコカードが読み取られたことが通知される。そして、接続部３０４から自販機子機２０の接続部２１０へ、遊技客が成人認証された旨が送信される。
【００６５】
自販機子機２０では、飲料交換機４０からの交換信号が受信されないことから、飲料交換が行われないものと判断され（ステップＳ１０５Ｎｏ）、振分制御部２０６によって、遊技客の成人認証が待機される（ステップＳ１０７）。このとき、接続部２１０へ遊技客が成人認証された旨が受信されていれば（ステップＳ１０７Ｙｅｓ）、接続部２１０から振分制御部２０６へ成人認証されたことが通知され、振分制御部２０６によって、計数部２０４による計数結果の遊技媒体数がタバコと等価な分以上であるか否かが判断される。そして、計数結果がタバコの交換に十分であれば、タバコ交換が可能である旨が振分制御部２０６から許可信号生成部２１１へ通知され、許可信号生成部２１１によって、タバコ交換を許可する旨の許可信号が生成される。生成された許可信号は、接続部２１０からタバコ交換機３０の接続部３０４へ送出される（ステップＳ１０８）。
【００６６】
ここで、振分制御部２０６へ成人認証が行われたことが通知された時点で、遊技客はタバコ交換を希望しており、飲料交換機４０における飲料交換は行われないと考えられるため、飲料交換機４０において点灯している選択ボタンを消灯させて選択待機状態を解除させる信号を振分制御部２０６から送信するようにしても良い。こうすることにより、遊技客は、タバコカードをタバコ交換機３０のタバコカード読取部３０１にかざすか否かにより、飲料交換とタバコ交換を切り替えることができ、同一の自販機子機２０にタバコ交換機３０と飲料交換機４０が接続されている場合の操作性を向上することができる。
【００６７】
自販機子機２０から送出された許可信号は、タバコ交換機３０の接続部３０４に受信され、制御部３０５へタバコ交換が許可されたことが通知され、制御部３０５によって、ディスプレイ部３０２の選択ボタンが点灯される。そして、遊技客が希望の銘柄の選択ボタンを押下すると、制御部３０５によって、この銘柄のタバコがタバコ交換口３０３から投出される。同時に、タバコ交換が行われたことを示す交換信号が制御部３０５から接続部３０４を介して自販機子機２０の接続部２１０へ送出される。自販機子機２０の振分制御部２０６では、タバコ交換機３０からの交換信号が受信されるか否かによってタバコ交換が行われたか否かが判断され（ステップＳ１０９）、接続部２１０に交換信号が受信されてタバコ交換が行われたことが検知されると（ステップＳ１０９Ｙｅｓ）、振分制御部２０６によって、一時保留部２０５に一時保留された遊技媒体のうち交換されたタバコと等価な分の遊技媒体が遊技媒体貯留部２０８へ送出されて貯留される（ステップＳ１０６）。
【００６８】
また、振分制御部２０６は、余剰の遊技媒体を遊技媒体投出部２０７へ送出し、遊技媒体投出部２０７から遊技媒体返却口２０２へ投出させる。これにより、タバコと等価な分の遊技媒体が遊技店に徴収されるとともに、タバコの価値を超える分の遊技媒体は遊技客へ返却されることになる。
【００６９】
一方、飲料交換機４０からの交換信号も受信されず、接続部２１０に成人認証された旨も受信されない場合（図示しない返却ボタンが押下された場合などを含む）は（ステップＳ１０７Ｎｏ）、所定の時間が経過すると（返却ボタンが押下された場合は押下直後に）、振分制御部２０６によって一時保留部２０５に一時保留されたすべての遊技媒体が遊技媒体投出部２０７へ送出され、遊技媒体投出部２０７から遊技媒体返却口２０２へ投出される（ステップＳ１１０）。同様に、遊技客が成人認証された後ディスプレイ部３０２の選択ボタンが押下されないまま所定の時間が経過した場合も（ステップＳ１０９Ｎｏ）、振分制御部２０６によって一時保留部２０５に一時保留されたすべての遊技媒体が遊技媒体投出部２０７へ送出され、遊技媒体投出部２０７から遊技媒体返却口２０２へ投出される（ステップＳ１１０）。
【００７０】
以上のように、本実施の形態によれば、遊技客の成人認証の有無に関わらず、最初に遊技客が持参する遊技媒体を受け付けて計数し、遊技客の成人認証前は飲料のみの交換を許可し、遊技客の成人認証後はタバコの交換を許可する。このため、タバコ交換を希望する遊技客は、遊技媒体を手に持たない状態で成人認証のための動作を行うことが可能となって、容易に成人認証を受けることができ、スムーズなタバコ交換を実現することができる。また、タバコ交換機にタバコカードをかざすことによって、飲料交換とタバコ交換を切り替えることができ、飲料交換機とタバコ交換機が共通の自販機子機に接続されている場合の操作性を向上することができる。
【００７１】
なお、本実施の形態においては、遊技客の成人認証前は、飲料交換機４０にて飲料のみの交換が許可されるものとしたが、遊技客が成人認証される前に交換が許可されるのは、年齢制限がない物品であれば飲料以外の例えば菓子類などでも良い。
【００７２】
（実施の形態２）
本発明の実施の形態２の特徴は、自販機子機にタバコ交換機のみが接続されている場合に、遊技客の成人認証前は、自販機子機へ投入された遊技媒体が装置の内部へ進入するのを遮断しておく点である。
【００７３】
本実施の形態に係る遊技店の概略構成は、実施の形態１（図１）とほぼ同じであるが、本実施の形態においては、自販機子機６０に飲料交換機が接続されておらず、タバコ交換機３０のみが接続されている点が異なっている。
【００７４】
図６は、本実施の形態に係る自販機子機６０およびタバコ交換機３０の内部構成を示すブロック図である。なお、同図において、図４と同じ部分には同じ符号を付し、その説明を省略する。図６に示す自販機子機６０は、一時保留部６０１、進入遮断部６０２、開閉制御部６０３、計数部６０４、遊技媒体投出部２０７、遊技媒体貯留部２０８、接続部２１０、および許可信号生成部２１１を有している。また、タバコ交換機３０は、実施の形態１（図４）と同様の構成を有している。
【００７５】
一時保留部６０１は、自販機子機６０に投入された遊技媒体を一時保留する。一時保留部６０１は、例えば自販機子機６０の前面に突設される受け皿の形状をしていても良いし、自販機子機６０の遊技媒体受入口より内部の遊技媒体通路を含む所定の広さを持った空間の形状をしていても良い。
【００７６】
進入遮断部６０２は、一時保留部６０１に一時保留された遊技媒体が自販機子機６０のより内部へ進入しないように遊技媒体通路を遮断する。すなわち、進入遮断部６０２は、開閉制御部６０３の制御に応じて開閉する例えばシャッターを有しており、シャッターが開放された時には、一時保留部６０１に一時保留された遊技媒体を計数部６０４へ送出する。また、進入遮断部６０２は、一時保留部６０１に遊技媒体が一時保留されてから所定時間が経過しても開放されない場合は、一時保留部６０１に一時保留された遊技媒体を遊技媒体投出部２０７へ送出する。同様に、進入遮断部６０２は、例えば図示しない返却ボタンが押下された場合にも、一時保留部６０１に一時保留された遊技媒体を遊技媒体投出部２０７へ送出する。
【００７７】
開閉制御部６０３は、接続部２１０から遊技客が成人認証された旨が通知された場合、進入遮断部６０２が有するシャッターを開放させて、一時保留部６０１に一時保留された遊技媒体を計数部６０４へ送出させる。
【００７８】
計数部６０４は、進入遮断部６０２から送出された遊技媒体を計数し、計数結果の遊技媒体数がタバコと等価な分以上である場合には、タバコ交換が可能である旨を許可信号生成部２１１へ通知する。そして、タバコ交換機３０におけるタバコ交換後、接続部２１０からタバコ交換が行われた旨が通知されると、交換されたタバコと等価な分の遊技媒体を遊技媒体貯留部２０８へ送出し、残りの遊技媒体を遊技媒体投出部２０７へ送出する。
【００７９】
次いで、上記のように構成された自販機子機６０の動作について、図７に示すフロー図を参照しながら説明する。
【００８０】
遊技客は、遊技媒体のタバコ交換を希望する際、タバコと等価な分以上の遊技媒体を自販機子機６０およびタバコ交換機３０の設置場所へ持参する。このとき、自販機子機６０は初期化されており（ステップＳ２０１）、開閉制御部６０３の制御によって進入遮断部６０２のシャッターが閉鎖されている。したがって、自販機子機６０の計数部６０４などがある内部へは遊技媒体が進入できないようになっている。この状態で、遊技客は、持参した遊技媒体を自販機子機６０の遊技媒体受入口へ投入する。この時点で、遊技客は両手を自由に使えるようになり、タバコカードによる成人認証など様々な動作をスムーズに行うことが可能となる。
【００８１】
投入された遊技媒体は、遊技媒体受入口に受け入れられ（ステップＳ２０２）、受け皿または自販機子機６０内部の空間などに形成される一時保留部６０１によって一時保留される（ステップＳ２０３）。すなわち、上述したように、進入遮断部６０２のシャッターが閉鎖されているため、一時保留部６０１に到達した遊技媒体は、それ以上先へ移動することがない。一時保留部６０１は、遊技媒体を遊技媒体投出部２０７および遊技媒体貯留部２０８のいずれにも送出可能な位置に設けられているため、一時保留部６０１に一時保留された遊技媒体をタバコに交換することも可能であるし、そのまま遊技客へ返却することも可能である。また、このように遊技媒体が一時保留されることにより、上述したように、遊技客は両手を自由に使うことができ、遊技客の動作が制限されない。
【００８２】
そこで、タバコ交換を希望する遊技客は、成人であることを示すタバコカードをタバコ交換機３０のタバコカード読取部３０１へかざして、成人認証を受ける。タバコカード読取部３０１にタバコカードがかざされると、タバコカード読取部３０１から接続部３０４へタバコカードが読み取られたことが通知される。そして、接続部３０４から自販機子機６０の接続部２１０へ、遊技客が成人認証された旨が送信される。
【００８３】
自販機子機６０では、一時保留部６０１に遊技媒体が一時保留された後、遊技客の成人認証が待機される（ステップＳ２０４）。このとき、接続部２１０へ遊技客が成人認証された旨が受信されていれば（ステップＳ２０４Ｙｅｓ）、接続部２１０から開閉制御部６０３へ成人認証されたことが通知され、開閉制御部６０３によって、進入遮断部６０２のシャッターが開放される（ステップＳ２０５）。これにより、一時保留部６０１に一時保留された遊技媒体が計数部６０４へ進入し、計数部６０４によって遊技媒体が計数される（ステップＳ２０６）。
【００８４】
本実施の形態においては、遊技客が成人認証された場合は、進入遮断部６０２に設けられるシャッターを開放するという簡便な制御を採用しているため、自販機子機６０の機構が複雑になることがなく、自販機子機６０の製造コストの増大を抑制することができる。
【００８５】
計数部６０４による遊技媒体の計数後、計数結果がタバコと等価な分以上であるか否かが判断され、タバコの交換に十分であれば、タバコ交換が可能である旨が計数部６０４から許可信号生成部２１１へ通知され、許可信号生成部２１１によって、タバコ交換を許可する旨の許可信号が生成される。生成された許可信号は、接続部２１０からタバコ交換機３０の接続部３０４へ送出される（ステップＳ２０７）。
【００８６】
自販機子機６０から送出された許可信号は、タバコ交換機３０の接続部３０４に受信され、制御部３０５へタバコ交換が許可されたことが通知され、制御部３０５によって、ディスプレイ部３０２の選択ボタンが点灯される。そして、遊技客が希望の銘柄の選択ボタンを押下すると、制御部３０５によって、この銘柄のタバコがタバコ交換口３０３から投出される。同時に、タバコ交換が行われたことを示す交換信号が制御部３０５から接続部３０４を介して自販機子機２０の接続部２１０へ送出される。自販機子機６０の計数部６０４では、タバコ交換機３０からの交換信号が受信されるか否かによってタバコ交換が行われたか否かが判断され（ステップＳ２０８）、接続部２１０に交換信号が受信されてタバコ交換が行われたことが検知されると（ステップＳ２０８Ｙｅｓ）、計数部６０４によって、交換されたタバコと等価な分の遊技媒体が遊技媒体貯留部２０８へ送出されて貯留される（ステップＳ２０９）。
【００８７】
また、計数部６０４は、余剰の遊技媒体を遊技媒体投出部２０７へ送出し、遊技媒体投出部２０７から遊技媒体返却口へ投出させる。これにより、タバコと等価な分の遊技媒体が遊技店に徴収されるとともに、タバコの価値を超える分の遊技媒体は遊技客へ返却されることになる。
【００８８】
一方、接続部２１０に成人認証された旨が受信されない場合（図示しない返却ボタンが押下された場合などを含む）は（ステップＳ２０４Ｎｏ）、所定の時間が経過すると（返却ボタンが押下された場合は押下直後に）、進入遮断部６０２によって一時保留部６０１に一時保留されたすべての遊技媒体が遊技媒体投出部２０７へ送出され、遊技媒体投出部２０７から遊技媒体返却口へ投出される（ステップＳ２１０）。同様に、遊技客が成人認証された後ディスプレイ部３０２の選択ボタンが押下されないまま所定の時間が経過した場合も（ステップＳ２０８Ｎｏ）、進入遮断部６０２によって一時保留部６０１に一時保留されたすべての遊技媒体が遊技媒体投出部２０７へ送出され、遊技媒体投出部２０７から遊技媒体返却口へ投出される（ステップＳ２１０）。
【００８９】
以上のように、本実施の形態によれば、遊技客の成人認証の有無に関わらず、最初に遊技客が持参する遊技媒体を受け付け、遊技客の成人認証前は自販機子機の内部への遊技媒体の進入を許可せず、遊技客の成人認証後は遊技媒体の進入を許可して計数し、タバコの交換を許可する。このため、タバコ交換を希望する遊技客は、遊技媒体を手に持たない状態で成人認証のための動作を行うことが可能となって、容易に成人認証を受けることができ、スムーズなタバコ交換を実現することができる。また、容易な構成で成人認証前の遊技客へのタバコ交換を禁止することができ、自販機子機の機構が複雑になることがなく、自販機子機の製造コストの増大を抑制することができる。
【００９０】
なお、上記各実施の形態においては、自販機子機を飲料交換機やタバコ交換機と別体として構成するものとしたが、これらの一部やすべてを一体化して構成しても良い。
【産業上の利用可能性】
【００９１】
本発明は、遊技媒体を持つ遊技客が容易に成人認証を受けて、スムーズなタバコ交換を実現する場合に適用することができる。
【図面の簡単な説明】
【００９２】
【図１】本発明の実施の形態１に係る遊技店の概略構成を示す図である。
【図２】実施の形態１に係る自販機子機およびタバコ交換機の外観図である。
【図３−１】実施の形態１に係る自販機子機の模式投影図である。
【図３−２】実施の形態１に係る自販機子機の他の模式投影図である。
【図４】実施の形態１に係る自販機子機およびタバコ交換機の内部構成を示すブロック図である。
【図５】実施の形態１に係る自販機子機の動作を示すフロー図である。
【図６】本発明の実施の形態２に係る自販機子機およびタバコ交換機の内部構成を示すブロック図である。
【図７】実施の形態２に係る自販機子機の動作を示すフロー図である。
【符号の説明】
【００９３】
２０１  遊技媒体受入口
２０２  遊技媒体返却口
２０３  遊技媒体通路
２０４、６０４  計数部
２０５、６０１  一時保留部
２０６  振分制御部
２０７  遊技媒体投出部
２０８  遊技媒体貯留部
２０９  許可信号送出部
２１０、３０４  接続部
２１１  許可信号生成部
３０１  タバコカード読取部
３０２  ディスプレイ部
３０３  タバコ交換口
３０５  制御部
６０２  進入遮断部
６０３  開閉制御部
【図１】
2007325736.tif 000003
【図２】
2007325736.tif 000004
【図３−１】
2007325736.tif 000005
【図３−２】
2007325736.tif 000006
【図４】
2007325736.tif 000007
【図５】
2007325736.tif 000008
【図６】
2007325736.tif 000009
【図７】
2007325736.tif 000010